(57)【要約】【課題】故障診断を短時間で行う。【解決手段】水位センサ２が貯水槽１の水位を計測し、減水警報を報知すると、試験弁５を開けて第２のサブ流水路３２から貯水槽１への給水を開始する。また、主弁４１内の水圧が設定圧力より低くなるので、水道管６とメイン流水路３０の間が開状態になり、第２のサブ流水路３２とともにメイン流水路３０からも貯水槽１への給水を開始する。このとき、給水管１０から放出される水より多くの水を貯水槽１に供給する。その後、水位センサ２が減水警報の報知を停止し、通常状態を報知するか否かを確認する。貯水槽１の水位が上がっているにも関わらず、水位センサ２が減水警報を報知したままである場合、少なくとも水位センサ２の故障と判断する。これに対して、水位センサ２が通常状態を報知した場合、定水位弁４などその他の部分の故障（例えばボールタップ４０の故障や主弁４１の故障）と判断する。【選択図】図１
2008157375.tif 000002
【特許請求の範囲】
【請求項１】
貯水槽の水位を計測し、計測した水位が通常状態又は異常状態のいずれであるかを検出する水位センサと、
前記貯水槽に給水するために設けられた２つの流水路と、
前記貯水槽の水位に応じて前記２つの流水路のうちの一方から当該貯水槽への給水を制御する定水位弁手段と、
前記定水位弁手段の制御状態に関わらず前記２つの流水路のうちの他方から前記貯水槽への給水を可能とする試験弁と
を備えることを特徴とする水槽装置。
【請求項２】
前記試験弁を第１の試験弁とし、
前記定水位弁手段の制御状態に関わらず前記一方の流水路から前記貯水槽への給水停止を可能とする第２の試験弁を備える
ことを特徴とする請求項１記載の水槽装置。
【請求項３】
前記貯水槽に給水するために前記２つの流水路とは別に設けられ、前記定水位弁手段によって当該貯水槽の水位に応じた当該貯水槽への給水が制御されるメイン流水路と、
前記メイン流水路を流れる水の有無を検出する検出計と
を備えることを特徴とする請求項１又は２記載の水槽装置。
【請求項４】
前記水位センサから水位情報を取得する水位情報取得手段と、前記水位情報取得手段で取得された水位情報に前記貯水槽の水位が異常状態である情報が含まれていると当該貯水槽の水位が異常状態から通常状態になるように前記第１の試験弁及び前記第２の試験弁を制御する弁制御手段とを有し、前記第１の試験弁及び前記第２の試験弁の制御結果を用いて故障診断を行う診断処理手段を備えることを特徴とする請求項２記載の水槽装置。
【請求項５】
前記貯水槽に給水するために前記２つの流水路とは別に設けられ、前記定水位弁手段によって当該貯水槽の水位に応じた当該貯水槽への給水が制御されるメイン流水路と、
前記メイン流水路を流れる水の有無を検出する検出計と
を備え、
前記診断処理手段が、前記流量計の計測結果を取得する流量取得手段を有し、前記流量取得手段で取得された計測結果を用いて故障診断を行う
ことを特徴とする請求項４記載の水槽装置。
【請求項６】
前記診断処理手段が、故障診断を行う指示を入力するための入力手段を有し、
前記弁制御手段が、前記入力手段から前記故障診断の指示が入力されると前記貯水槽の水位が減水状態になるまで前記第１の試験弁及び前記第２の試験弁を閉じるように制御する
ことを特徴とする請求項４又は５記載の水槽装置。
【請求項７】
請求項４乃至６のいずれか１項に記載の水槽装置を複数備え、
前記複数の水槽装置のそれぞれの前記診断処理手段を１つの診断処理手段に統合し、
前記統合された診断処理手段が、前記複数の水槽装置の１つに対する故障を検出すると当該故障が検出された水槽装置から他の水槽装置に切り替え当該他の水槽装置を稼動させる
ことを特徴とする水槽システム。
【請求項８】
貯水槽の水位を計測し、計測した水位が通常状態又は異常状態のいずれであるかを検出する水位センサと、前記貯水槽に給水するために設けられた２つの流水路と、前記貯水槽の水位に応じて前記２つの流水路のうちの一方から当該貯水槽への給水を制御する定水位弁手段と、前記定水位弁手段の制御状態に関わらず前記２つの流水路のうちの他方から前記貯水槽への給水を可能とする第１の試験弁と、前記定水位弁手段の制御状態に関わらず前記一方の流水路から前記貯水槽への給水停止を可能とする第２の試験弁と、前記第１の試験弁及び前記第２の試験弁を制御可能とする診断処理手段とを備える水槽装置の故障診断方法であって、
前記貯水槽の水位が異常状態であったときに、前記診断処理手段が、前記貯水槽の水位が異常状態から通常状態になるように前記第１の試験弁及び前記第２の試験弁を制御し、当該第１の試験弁及び当該第２の試験弁の制御結果を用いて故障診断を行うことを特徴とする水槽装置の故障診断方法。
【発明の詳細な説明】
【技術分野】
【０００１】
本発明は、貯水槽への給水を行う水槽装置、水槽システム及び水槽装置の故障診断方法に関するものである。
【背景技術】
【０００２】
貯水槽への給水を行う従来の水槽装置は、貯水槽の水位を測定する水位センサを備え、貯水槽の水位が高くなりすぎて満水状態になったり、低くなりすぎて減水状態になったりして異常状態になった場合に、例えば満水警報や減水警報などの警報を通知する。従来の水槽装置の一例として、特許文献１にはビル貯水槽給水制御装置が開示されている。
【０００３】
このような水槽装置が設置された貯水槽の水位が異常状態になった場合、従来の水槽装置の水位センサは警報を通知する。警報が通知されると、管理者は故障か否かの確認を行い、故障であるならば故障箇所（故障原因）を判断する。その後、故障箇所の修理部品を搬送し、修理を行う。
【特許文献１】特開平９−１３４４３号公報（段落００１３〜００２３及び第１図）
【発明の開示】
【発明が解決しようとする課題】
【０００４】
しかしながら、上記従来の水槽装置には、故障の有無や故障箇所の判断などの故障診断が行われるのに多くの時間が費やされるという問題があった。現場にいる少人数の管理者だけで故障診断を行うことは管理者の負担が大きくなり困難である。このため、修理担当者が現場に赴いて上記故障診断を行うことになるが、現場に到着してから早急に故障診断を行い、修理しなければならないので、多くの修理担当者を必要とし、その結果、修理担当者の交通費が高くなるという状況が発生した。また、故障診断に長時間を費やすと、その後の修理作業をできるだけ短時間で行う必要があるため、予想される故障に対する修理部品を一括して搬送しなければならず、修理部品の搬送費も高くなるという状況が発生した。
【０００５】
本発明は上記の点に鑑みて為されたものであり、その目的とするところは、故障診断を短時間で行うことができる水槽装置、水槽システム及び水槽装置の故障診断方法を提供することにある。
【課題を解決するための手段】
【０００６】
請求項１の水槽装置に係る発明は、貯水槽の水位を計測し、計測した水位が通常状態又は異常状態のいずれであるかを検出する水位センサと、前記貯水槽に給水するために設けられた２つの流水路と、前記貯水槽の水位に応じて前記２つの流水路のうちの一方から当該貯水槽への給水を制御する定水位弁手段と、前記定水位弁手段の制御状態に関わらず前記２つの流水路のうちの他方から前記貯水槽への給水を可能とする試験弁とを備えることを特徴とする。
【０００７】
請求項２の水槽装置に係る発明は、請求項１の発明において、前記試験弁を第１の試験弁とし、前記定水位弁手段の制御状態に関わらず前記一方の流水路から前記貯水槽への給水停止を可能とする第２の試験弁を備えることを特徴とする。
【０００８】
請求項３の水槽装置に係る発明は、請求項１又は２の発明において、前記貯水槽に給水するために前記２つの流水路とは別に設けられ、前記定水位弁手段によって当該貯水槽の水位に応じた当該貯水槽への給水が制御されるメイン流水路と、前記メイン流水路を流れる水の有無を検出する検出計とを備えることを特徴とする。
【０００９】
請求項４の水槽装置に係る発明は、請求項２の発明において、前記水位センサから水位情報を取得する水位情報取得手段と、前記水位情報取得手段で取得された水位情報に前記貯水槽の水位が異常状態である情報が含まれていると当該貯水槽の水位が異常状態から通常状態になるように前記第１の試験弁及び前記第２の試験弁を制御する弁制御手段とを有し、前記第１の試験弁及び前記第２の試験弁の制御結果を用いて故障診断を行う診断処理手段を備えることを特徴とする。
【００１０】
請求項５の水槽装置に係る発明は、請求項４の発明において、前記貯水槽に給水するために前記２つの流水路とは別に設けられ、前記定水位弁手段によって当該貯水槽の水位に応じた当該貯水槽への給水が制御されるメイン流水路と、前記メイン流水路を流れる水の有無を検出する検出計とを備え、前記診断処理手段が、前記流量計の計測結果を取得する流量取得手段を有し、前記流量取得手段で取得された計測結果を用いて故障診断を行うことを特徴とする。
【００１１】
請求項６の水槽装置に係る発明は、請求項４又は５の発明において、前記診断処理手段が、故障診断を行う指示を入力するための入力手段を有し、前記弁制御手段が、前記入力手段から前記故障診断の指示が入力されると前記貯水槽の水位が減水状態になるまで前記第１の試験弁及び前記第２の試験弁を閉じるように制御することを特徴とする。
【００１２】
請求項７の水槽システムに係る発明は、請求項４乃至６のいずれか１項に記載の水槽装置を複数備え、前記複数の水槽装置のそれぞれの前記診断処理手段を１つの診断処理手段に統合し、前記統合された診断処理手段が、前記複数の水槽装置の１つに対する故障を検出すると当該故障が検出された水槽装置から他の水槽装置に切り替え当該他の水槽装置を稼動させることを特徴とする。
【００１３】
請求項８の水槽装置の故障診断方法に係る発明は、貯水槽の水位を計測し、計測した水位が通常状態又は異常状態のいずれであるかを検出する水位センサと、前記貯水槽に給水するために設けられた２つの流水路と、前記貯水槽の水位に応じて前記２つの流水路のうちの一方から当該貯水槽への給水を制御する定水位弁手段と、前記定水位弁手段の制御状態に関わらず前記２つの流水路のうちの他方から前記貯水槽への給水を可能とする第１の試験弁と、前記定水位弁手段の制御状態に関わらず前記一方の流水路から前記貯水槽への給水停止を可能とする第２の試験弁と、前記第１の試験弁及び前記第２の試験弁を制御可能とする診断処理手段とを備える水槽装置の故障診断方法であって、前記貯水槽の水位が異常状態であったときに、前記診断処理手段が、前記貯水槽の水位が異常状態から通常状態になるように前記第１の試験弁及び前記第２の試験弁を制御し、当該第１の試験弁及び当該第２の試験弁の制御結果を用いて故障診断を行うことを特徴とする。
【発明の効果】
【００１４】
請求項１の発明によれば、水位センサが異常状態として減水状態を検出したときに、試験弁を開けて、定水位弁手段の制御状態に関わらず貯水槽の水位を変動させることによって、少なくとも水位センサの故障か否かを判断することができるので、故障診断を短時間で行うことができる。
【００１５】
請求項２の発明によれば、水位センサが検出した異常状態が減水状態だけでなく満水状態であっても、故障診断を行うことができる。
【００１６】
請求項３の発明によれば、メイン流水路に流れる水の有無を検出計で検出することによって、故障診断をより正確に行うことができる。
【００１７】
請求項４の発明によれば、手動ではなく自動的に故障診断を行うことができる。
【００１８】
請求項５の発明によれば、定水位弁手段内部の故障箇所を分離して判断することができる。
【００１９】
請求項６の発明によれば、ユーザが故障診断の指示を入力することができるので、必要時に故障診断を行うことができる。また、故障診断の指示を入力することによって、貯水槽の水が消費されるままにして減水状態になるまで貯水槽に水を供給しないようにすることができるので、水を有効利用しながら故障診断を行うことができる。
【００２０】
請求項７の発明によれば、故障診断を短時間で行うことができる。また、故障が検出された水槽装置から正常な水槽装置に切り替えることによって、信頼性を向上させることができる。
【００２１】
請求項８の発明によれば、手動ではなく自動的に故障診断を行うことができるとともに、故障診断を短時間で行うことができる。
【発明を実施するための最良の形態】
【００２２】
（実施形態１）
まず、本発明の実施形態１に係る水槽装置の構成について図１を用いて説明する。この水槽装置は、貯水槽１への給水を行うものであり、貯水槽１の水位を計測し、計測した水位が通常状態又は異常状態のいずれであるかを検出する水位センサ２と、貯水槽１に給水するために設けられたメイン流水路３０、第１のサブ流水路３１及び第２のサブ流水路３２と、貯水槽１の水位に応じてメイン流水路３０及び第１のサブ流水路３１から貯水槽１への給水を制御する定水位弁４と、定水位弁４の制御状態に関わらずメイン流水路３０及び第２のサブ流水路３２から貯水槽１への給水を可能とする試験弁（第１の試験弁）５とを備えている。
【００２３】
貯水槽１は、貯えた水を給水場所に供給するために給水管１０と接続する給水管接続部１１を備えている。給水管接続部１１には弁が設けられている。この弁が開いていると貯水槽１から給水場所への給水が可能であり、弁が閉じていると貯水槽１から給水場所への給水が停止する。通常使用時において、この弁は開いたままである。
【００２４】
水位センサ２は貯水槽１に取り付けられ、異なる長さの複数の電極棒２０〜２２の通電により貯水槽１の水位を計測し、計測した水位に応じて通常状態を検出したり、異常状態として減水状態又は満水状態を検出したりする。また、水位センサ２は、通常状態、減水状態（減水警報）及び満水状態（満水警報）を報知する機能と、通常状態、減水状態及び満水状態を水位情報として他の装置に出力する機能とを有する。
【００２５】
メイン流水路３０は、第１のサブ流水路３１及び第２のサブ流水路３２とは別に水道管６と接続して設けられ、第１のサブ流水路３１及び第２のサブ流水路３２より管径が大きく、水道管６を流れてきた大量の水を貯水槽１に供給することを可能とする。一方、第１のサブ流水路３１及び第２のサブ流水路３２はメイン流水路３０と並列状態で水道管６に接続して設けられ、水道管６側で一体となり、先端側で分岐して形成されている。第１のサブ流水路３１及び第２のサブ流水路３２も、水道管６を流れてきた水を貯水槽１に供給することを可能とする。
【００２６】
定水位弁４は、ボールタップ（副弁）４０と、主弁４１とを備えている。ボールタップ４０は、弁４００と、中に空気が入った球体の浮き玉４０１とを備えている。弁４００は、第１のサブ流水路３１と第２のサブ流水路３２の分岐点３３から第１のサブ流水路３１の先端側に設けられている。浮き玉４０１は貯水槽１の水面に浮かべられ、浮力によって貯水槽１の水位と連動して位置が上下する。貯水槽１の水位上昇により浮き玉４０１が所定の位置まで上昇すると弁４００が閉まる。反対に、貯水槽１の水位低下により浮き玉４０１が所定の位置まで下降すると弁４００が開く。
【００２７】
主弁４１は水道管６とメイン流水路３０の間に設けられ、内部の水圧が設定圧力より下がると、水道管６とメイン流水路３０の間を開状態にし、内部の水圧が設定圧力より上がると、水道管６とメイン流水路３０の間を閉状態にするものである。この主弁４１内の水圧は、後述の試験弁５が閉まっている状態において、ボールタップ４０の弁４００の開閉状態に応じて変動する。つまり、主弁４１は、試験弁５が閉まっている状態において、ボールタップ４０の弁４００の開閉状態に連動してメイン流水路３０から貯水槽１への給水を制御することになる。主弁４１の動作について具体的に説明すると、ボールタップ４０の弁４００が開いていると第１の流水路３１内の水圧が減少し、これに伴って、主弁４１内の水圧が減少することにより、水道管６とメイン流水路３０の間を開状態にし、メイン流水路３０から貯水槽１への給水を可能にする。反対に、弁４００が閉じていると第１の流水路３１内の水圧が上昇し、これに伴って、主弁４１内の水圧が上昇することにより、水道管６とメイン流水路３０の間を閉状態にし、メイン流水路３０から貯水槽１への給水を停止する。
【００２８】
試験弁５は例えば電磁弁や電動弁などであり、第１のサブ流水路３１と第２のサブ流水路３２の分岐点３３から第２のサブ流水路３２の先端側に設けられている。上記ボールタップ４０の弁４００が閉まっている状態であっても、試験弁５が開くと、第２のサブ流水路３２内の水圧が減少し、これに伴って、主弁４１内の水圧も減少する。これにより、水道管６とメイン流水路３０の間が開状態になって、メイン流水路３０及び第２のサブ流水路３２から貯水槽１への給水を可能にする。これに対して、試験弁５が閉まると、第２のサブ流水路３２内の水圧が上昇し、これに伴って、主弁４１内の水圧も上昇する。これにより、水道管６とメイン流水路３０の間が閉状態になって、メイン流水路３０及び第２のサブ流水路３２からの給水を停止する。
【００２９】
次に、実施形態１に係る水槽装置の通常時の動作について図１を用いて説明する。まず、貯水槽１の水位が低いと、ボールタップ４０が開状態になる。これに伴い、主弁４１も開状態になり、メイン流水路３０及び第１のサブ流水路３１から貯水槽１への給水が開始する。その後、貯水槽１の水位が上がって所定の水位になると、ボールタップ４０が閉状態になり、第１のサブ流水路３１から貯水槽１への給水が停止する。続いて、主弁４１も閉状態になり、メイン流水路３０から貯水槽１への給水も停止する。上記より、貯水槽１の水位を一定範囲内に保つことができる。
【００３０】
次に、実施形態１に係る水槽装置の故障診断方法について説明する。まず、水位センサ２が貯水槽１の水位を計測し、減水警報を報知すると、試験弁５を開けて第２のサブ流水路３２から貯水槽１への給水を開始する。また、主弁４１内の水圧が設定圧力より低くなるので、水道管６とメイン流水路３０の間が開状態になり、第２のサブ流水路３２とともにメイン流水路３０からも貯水槽１への給水を開始する。このとき、給水管１０から放出される水より多くの水を貯水槽１に供給する。その後、水位センサ２が減水警報の報知を停止し、通常状態を報知するか否かを確認する。貯水槽１の水位が上がっているにも関わらず、水位センサ２が減水警報を報知したままである場合、少なくとも水位センサ２の故障と判断する。水位センサ２の故障原因は、電極棒２０〜２２の誤検出による減水警報の通知である。これに対して、水位センサ２が通常状態を報知した場合、その他の部分の故障と判断する。なお、試験弁５を開けて貯水槽１への給水を行うとき、貯水槽１の給水管接続部１１の弁を閉めていないが、短時間で貯水槽１の水を増加させたい場合は、給水管接続部１１の弁を閉めてもよい。
【００３１】
以上、実施形態１によれば、水位センサ２が異常状態として減水状態を検出したときに、試験弁５を開けて、定水位弁４の制御状態に関わらず貯水槽１の水位を変動させることによって、少なくとも水位センサ２の故障か否かを判断することができるので、故障診断を短時間で行うことができる。
【００３２】
（実施形態２）
まず、本発明の実施形態２に係る水槽装置の構成について図２を用いて説明する。この水槽装置は、水位センサ２と、メイン流水路３０、第１のサブ流水路３１及び第２のサブ流水路３２と、定水位弁４と、試験弁５とを実施形態１の水槽装置（図１参照）と同様に備えているが、実施形態１の水槽装置にはない以下に記載の特徴部分を有する。
【００３３】
実施形態２の水槽装置は、図２に示すような試験弁（第２の試験弁）７を備えている。試験弁７は例えば電磁弁や電動弁などであり、第１のサブ流水路３１と第２のサブ流水路３２の分岐点３３から第１のサブ流水路３１の先端側に設けられ、定水位弁４の制御状態に関わらず第１のサブ流水路３１から貯水槽１への給水停止を可能とする。
【００３４】
次に、実施形態２に係る水槽装置の故障診断方法について説明する。故障箇所としては、水位センサ２、ボールタップ４０及び主弁４１が考えられる。
【００３５】
最初に満水診断について説明する。この場合、水位センサ２の故障原因は、電極棒２０〜２２の誤検出による満水警報の通知である。ボールタップ４０の故障原因は、ボールタップ４０と主弁４１の連動不良から発生した主弁４１の開状態の継続による給水である。主弁４１の故障原因は、ボールタップ４０の開閉状態に関わらず主弁４１が開状態に固定されたままになることである。まず、水位センサ２が貯水槽１の水位を計測し、満水警報を報知すると、試験弁５，７を閉める。この状態では、主弁４１が正常であるならば、主弁４１内の水圧が設定圧力より高いので、水道管６とメイン流水路３０の間は閉状態である。したがって、貯水槽１への給水がないので、貯水槽１の水位は下がっていくはずである。その後、水位センサ２が満水警報の報知を停止し、通常状態を報知するか否かを確認する。水位センサ２が満水警報を報知したままである場合、水位センサ２及び主弁４１の少なくとも一方の故障と判断する。これに対して、水位センサ２が通常状態を報知した場合、少なくともボールタップ４０の故障と判断する。
【００３６】
続いて、減水診断について説明する。この場合の水位センサ２の故障原因は実施形態１と同様である。ボールタップ４０の故障原因は、ボールタップ４０と主弁４１の連動不良から発生した主弁４１の閉状態に継続による給水である。主弁４１の故障原因は、ボールタップ４０の開閉状態に関わらず主弁４１が閉状態に固定されたままになることである。まず、水位センサ２が貯水槽１の水位を計測し、減水警報を報知すると、試験弁７が開いていることを確認し、その後、試験弁５を開けて第２のサブ流水路３２から貯水槽１への給水を開始する。また、主弁４１内の水圧が設定圧力より低くなるので、水道管６とメイン流水路３０の間が開状態になり、第２のサブ流水路３２とともにメイン流水路３０からも貯水槽１への給水を開始する。このとき、給水管１０から放出される水より多くの水を貯水槽１に供給する。その後、水位センサ２が減水警報の報知を停止し、通常状態を報知するか否かを確認する。貯水槽１の水位が上がっているにも関わらず、水位センサ２が減水警報を報知したままである場合、少なくとも水位センサ２の故障と判断し、水位センサ２が通常状態を報知した場合、ボールタップ４０及び主弁４１の少なくとも一方の故障と判断する。なお、試験弁５を開けて貯水槽１への給水を行うとき、貯水槽１の給水管接続部１１の弁を閉めていないが、短時間で貯水槽１の水を増加させたい場合は、給水管接続部１１の弁を閉めてもよい。
【００３７】
なお、実施形態２に係る水槽装置の通常時の動作は実施形態１と同様である。
【００３８】
以上、実施形態２によれば、水位センサ２が検出した異常状態が減水状態だけでなく満水状態であっても、故障診断を行うことができる。
【００３９】
（実施形態３）
まず、本発明の実施形態３に係る水槽装置の構成について図３を用いて説明する。この水槽装置は、水位センサ２と、メイン流水路３０、第１のサブ流水路３１及び第２のサブ流水路３２と、定水位弁４と、２つの試験弁５，７とを実施形態２の水槽装置（図２参照）と同様に備えているが、実施形態２の水槽装置にはない以下に記載の特徴部分を有する。
【００４０】
実施形態３の水槽装置は、図３に示すような流量計（検出計）８を備えている。流量計８は、メイン流水路３０を流れる水の流量を計測することで水の有無を検出し、検出結果を表示したり、他の機器に出力したりする。なお、流量計８は流量を具体値として計測するものであってもよいし、単に流水の有無を検出する機能を有するものであってもよい。
【００４１】
次に、実施形態３に係る水槽装置の故障診断方法について説明する。故障箇所としては、水位センサ２、ボールタップ４０、主弁４１及び流量計８が考えられる。
【００４２】
最初に満水診断について図４を用いて説明する。この場合の水位センサ２、ボールタップ４０及び主弁４１の故障原因は実施形態２と同様であり、流量計８の故障原因は、流量計８が常にオフに固定されたままになることである。まず、水位センサ２が貯水槽１の水位を計測し、満水警報を報知すると（Ｓ１１）、満水警報を報知した直前の一定時間において流量計８が常にオフになっているか否かを確認する（Ｓ１２）。貯水槽１は給水されてから上記一定時間で満水になることから、上記一定時間に流量計８が常にオフであることはありえないためである。したがって、流量計８が常にオフであった場合、主弁４１及び流量計８の故障並びに水位センサ２の故障のうち少なくとも一方の故障と判断する（Ｓ１３）。
【００４３】
一方、流量計８が常にオフではなかった場合、試験弁（第２の試験弁）７が開いているか否かを確認する（Ｓ１４）。この水槽装置を通常使用している場合、試験弁７は必ず開いている必要があるため、試験弁７が開いていない場合、故障診断前の状態が異常であるので、その他異常と判断する（Ｓ１５）。これに対して、試験弁７が開いていた場合、２つの試験弁５，７を閉めて貯水槽１への給水を停止する（Ｓ１６）。ここで、試験弁５は通常使用時において閉じているものであるが、念のために確認している。試験弁５，７が閉まることにより、故障がなければ主弁４１は閉まるはずである。その後、流量計８が所定時間内にオフになるか否かを確認する（Ｓ１７）。ここで、所定時間とは、ボールタップ４０が閉じてから主弁４１が閉じるまでに要する動作時間である。流量計８がオフになると、ボールタップ４０と主弁４１の連動不良から発生した主弁４１の開状態の継続による給水が行われていることから、少なくともボールタップ４０の故障と判断する（Ｓ１８）。これに対して、流量計８がオンの場合、少なくとも主弁４１の故障と判断する（Ｓ１９）。
【００４４】
続いて、減水診断について図５を用いて説明する。この場合の水位センサ２、ボールタップ４０及び主弁４１の故障原因は実施形態２と同様であり、流量計８の故障原因は、流量計８が常にオンに固定されたままになることである。まず、水位センサ２が貯水槽１の水位を計測し、減水警報を報知すると（Ｓ２１）、減水警報を報知した直前の一定時間において流量計８が常にオンになっているか否かを確認する（Ｓ２２）。貯水槽１は給水停止されてから上記一定時間で減水になることから、上記一定時間に流量計８が常にオンになることはありえないためである。したがって、流量計８が常にオンであった場合、主弁４１及び流量計８の故障並びに水位センサ２の故障のうち少なくとも一方の故障と判断する（Ｓ２３）。
【００４５】
一方、流量計８が常にオンではなかった場合、試験弁（第１の試験弁）５が開いているか否かを確認する（Ｓ２４）。この水槽装置を通常使用している場合、試験弁５は必ず閉まっている必要があるため、試験弁５が開いている場合、故障診断前の状態が異常であるので、その他異常と判断する（Ｓ２５）。これに対して、試験弁５が閉まっていた場合、試験弁５を開け、試験弁７（第２の試験弁）を閉める（Ｓ２６）。試験弁５が開くことにより、故障がなければ主弁４１は開くはずである。その後、流量計８が所定時間内にオンになるか否かを確認する（Ｓ２７）。ここで、所定時間とは、ボールタップ４０が開いてから主弁４１が開くまでに要する動作時間である。流量計８がオンになると、ボールタップ４０と主弁４１の連動不良から発生した主弁４１の閉状態の継続による給水停止がされていることから、少なくともボールタップ４０の故障と判断する（Ｓ２８）。これに対して、流量計８がオフの場合、少なくとも主弁４１の故障と判断する（Ｓ２９）。
【００４６】
なお、実施形態３に係る水槽装置の通常時の動作は実施形態２（実施形態１）と同様である。
【００４７】
以上、実施形態３によれば、メイン流水路３０に流れる水の有無を流量計８で検出することによって、定水位弁４においてボールタップ４０と主弁４１のいずれが故障しているかを判断することができるので、故障診断をより正確に行うことができる。
【００４８】
（実施形態４）
まず、本発明の実施形態４に係る水槽装置の構成について図６を用いて説明する。この水槽装置は、水位センサ２と、メイン流水路３０、第１のサブ流水路３１及び第２のサブ流水路３２と、定水位弁４と、２つの試験弁５，７とを実施形態２の水槽装置（図２参照）と同様に備えているが、実施形態２の水槽装置にはない以下に記載の特徴部分を有する。
【００４９】
実施形態４の水槽装置は、図６に示すような診断処理部９を備えている。診断処理部９は、水位センサ２から水位情報を取得する水位情報取得部９０と、２つの試験弁５，７の開閉を制御する弁制御部９１とを備えている。弁制御部９１は、水位情報取得部９０で取得された水位情報に貯水槽１の水位が異常状態である情報が含まれていると、貯水槽１の水位が異常状態から通常状態になるように２つの試験弁５，７の開閉を制御する。診断処理部９は自動又は管理者の制御によって動作する。
【００５０】
次に、実施形態４に係る水槽装置の故障診断方法について説明する。故障箇所及び故障原因は実施形態２と同様である。
【００５１】
最初に満水診断について説明する。まず、水位センサ２が貯水槽１の水位を計測し、診断処理部９の水位情報取得部９０が水位センサ２から水位情報として満水警報を受信すると、弁制御部９１が、試験弁５，７を閉めるように制御する。この状態では、実施形態２と同様に、貯水槽１の水位は下がっていくはずである。その後、水位情報取得部９０が、水位センサ２からの水位情報として通常状態を受信するか否かを確認する。水位情報が満水警報のままである場合、実施形態２と同様に、水位センサ２及び主弁４１の少なくとも一方の故障と判断し、水位情報が通常状態になった場合、少なくともボールタップ４０の故障と判断する。上記のようにして、水位センサ２が満水状態を検出した場合に、診断処理部９は、貯水槽１の水位が満水状態から通常状態になるように試験弁５，７を閉めるように制御し、試験弁５，７の制御結果を用いて故障診断を行う。
【００５２】
続いて、減水診断について説明する。まず、水位センサ２が貯水槽１の水位を計測し、診断処理部９の水位情報取得部９０が水位センサ２から水位情報として減水警報を受信すると、弁制御部９１が、試験弁７が開いていることを確認し、その後、試験弁５を開けて貯水槽１への給水を開始する。その後、水位情報取得部９０が、水位センサ２からの水位情報として通常状態を受信するか否かを確認する。水位情報が減水警報のままである場合、実施形態２と同様に、少なくとも水位センサ２の故障と判断し、水位情報が通常状態になった場合、ボールタップ４０及び主弁４１の少なくとも一方の故障と判断する。上記のようにして、水位センサ２が減水状態を検出した場合に、診断処理部９は、貯水槽１の水位が減水状態から通常状態になるように試験弁５，７を開けるように制御し、試験弁５，７の制御結果を用いて故障診断を行う。
【００５３】
なお、実施形態４に係る水槽装置の通常時の動作は実施形態２（実施形態１）と同様である。
【００５４】
以上、実施形態４によれば、手動ではなく自動的に故障診断を行うことができるとともに、故障診断を短時間で行うことができる。
【００５５】
（実施形態５）
まず、本発明の実施形態５に係る水槽装置の構成について図７を用いて説明する。この水槽装置は、水位センサ２と、メイン流水路３０、第１のサブ流水路３１及び第２のサブ流水路３２と、定水位弁４と、２つの試験弁５，７とを実施形態４の水槽装置（図６参照）と同様に備えているが、実施形態４の水槽装置にはない以下に記載の特徴部分を有する。
【００５６】
実施形態５の水槽装置は、実施形態３と同様の流量計８を備えている。流量計８は、メイン流水路３０を流れる水の流量を計測することで水の有無を検出し、検出結果を表示したり、他の機器に出力したりする。
【００５７】
また、実施形態５の水槽装置は、実施形態４の診断処理部９（図６参照）に代えて、図７に示すような診断処理部９ａを備えている。診断処理部９ａは、流量計８の計測結果を取得する流量取得部９２を備えている。診断処理部９ａは、流量取得部９２で取得された計測結果を用いてボールタップ４０の故障か主弁４１の故障かを特定する。なお、診断処理部９ａは上記以外の点で診断処理部９と同様である。
【００５８】
次に、実施形態５に係る水槽装置の故障診断方法について説明する。故障箇所及び故障原因は実施形態４と同様である。
【００５９】
最初に満水診断について図４を用いて説明する。まず、水位センサ２が貯水槽１の水位を計測し、診断処理部９ａの水位情報取得部９０が水位センサ２から水位情報として満水警報を受信すると（Ｓ１１）、流量取得部９２が、満水警報を取得した直前の一定時間において流量計８が常にオフになっているか否かを確認する（Ｓ１２）。貯水槽１は給水されてから上記一定時間で満水になることから、上記一定時間に流量計８が常にオフであることはありえないためである。したがって、流量計８が常にオフであった場合、主弁４１及び流量計８の故障並びに水位センサ２の故障のうち少なくとも一方の故障と判断する（Ｓ１３）。
【００６０】
一方、流量計８が常にオフではなかった場合、弁制御部９１が、試験弁（第２の試験弁）７が開いているか否かを確認する（Ｓ１４）。試験弁７が開いていない場合、故障診断前の状態が異常であるので、その他異常と判断する（Ｓ１５）。これに対して、試験弁７が開いていた場合、弁制御部９１は２つの試験弁５，７を閉めるように制御する（Ｓ１６）。試験弁５，７が閉まることにより、故障がなければ主弁４１は閉まるはずである。その後、流量取得部９２が、所定時間内において流量計８がオフになるか否かを確認する（Ｓ１７）。ここで、所定時間とは、ボールタップ４０が閉じてから主弁４１が閉じるまでに要する動作時間である。流量計８がオフになると、ボールタップ４０と主弁４１の連動不良から発生した主弁４１の開状態の継続による給水が原因であることから、少なくともボールタップ４０の故障と判断する（Ｓ１８）。これに対して、流量計８がオンの場合、少なくとも主弁４１の故障と判断する（Ｓ１９）。上記のようにして、水位センサ２が満水状態を検出した場合に、診断処理部９ａは、貯水槽１の水位が満水状態から通常状態になるように試験弁５，７を閉めるように制御し、試験弁５，７の制御結果を用いて故障診断を行う。
【００６１】
続いて、減水診断について図５を用いて説明する。まず、水位センサ２が貯水槽１の水位を計測し、診断処理部９ａの水位情報取得部９０が水位センサ２から水位情報として減水警報を受信すると（Ｓ２１）、流量取得部９２が、減水警報を取得した直前の一定時間において流量計８が常にオンになっているか否かを確認する（Ｓ２２）。貯水槽１は給水停止されてから上記一定時間で減水になることから、上記一定時間に流量計８が常にオンになることはありえないためである。したがって、流量計８が常にオンであった場合、主弁４１及び流量計８の故障並びに水位センサ２の故障のうち少なくとも一方の故障と判断する（Ｓ２３）。
【００６２】
一方、流量計８が常にオンではなかった場合、弁制御部９１が、試験弁（第１の試験弁）５が開いているか否かを確認する（Ｓ２４）。試験弁５が開いている場合、故障診断前の状態が異常であるので、その他異常と判断する（Ｓ２５）。これに対して、試験弁５が閉まっていた場合、弁制御部９１が試験弁５を開け、試験弁７（第２の試験弁）を閉めるように制御する（Ｓ２６）。その後、流量計８が所定時間内にオンになるか否かを確認する（Ｓ２７）。ここで、所定時間とは、ボールタップ４０が開いてから主弁４１が開くまでに要する動作時間である。流量計８がオンになると、ボールタップ４０と主弁４１の連動不良から発生した主弁４１の閉状態の継続による給水停止がされていることから、少なくともボールタップ４０の故障と判断する（Ｓ２８）。これに対して、流量計８がオフの場合、少なくとも主弁４１の故障と判断する（Ｓ２９）。上記のようにして、水位センサ２が減水状態を検出した場合に、診断処理部９ａは、貯水槽１の水位が減水状態から通常状態になるように試験弁５，７を開けるように制御し、試験弁５，７の制御結果を用いて故障診断を行う。
【００６３】
なお、実施形態５に係る水槽装置の通常時の動作は実施形態４（実施形態１）と同様である。
【００６４】
以上、実施形態５によれば、メイン流水路３０の流量を流量計８で計測することによって、定水位弁４においてボールタップ４０と主弁４１のいずれが故障しているかを判断することができるので、故障診断をより正確に行うことができる。また、手動ではなく自動的に故障診断を行うことができる。
【００６５】
（実施形態６）
まず、本発明の実施形態６に係る水槽装置の構成について図８を用いて説明する。この水槽装置は、実施形態５の水槽装置（図７参照）と同様に、水位センサ２と、メイン流水路３０、第１のサブ流水路３１及び第２のサブ流水路３２と、定水位弁４と、２つの試験弁５，７とを備えているが、実施形態５の水槽装置にはない以下に記載の特徴部分を有する。
【００６６】
実施形態６の水槽装置は、実施形態５の診断処理部９ａ（図７参照）に代えて、図８に示すような診断処理部９ｂを備えている。この診断処理部９ｂは、故障診断を行う指示を与える入力部９３を備えている。診断処理部９ｂの弁制御部９１は、故障診断の指示が与えられたときに減水状態になるまで２つの試験弁５，７を閉じる。なお、診断処理部９ｂは上記以外の点で診断処理部９ａと同様である。
【００６７】
次に、実施形態６に係る水槽装置の故障診断方法について説明する。まず、診断処理部９ｂの入力部９３から満水診断又は減水診断を行う指示を選択して入力する。満水診断又は減水診断を行う指示が入力されると、実施形態５と同様の満水診断又は減水診断を行う（図４，５参照）。
【００６８】
なお、実施形態６に係る水槽装置の通常時の動作は実施形態５（実施形態１）と同様である。
【００６９】
以上、実施形態６によれば、ユーザが入力部９３から故障診断の指示を入力することができるので、必要時に故障診断を行うことができる。また、故障診断の指示を入力部９３から入力することによって、貯水槽１の水が消費されるままにして減水状態になるまで貯水槽１に水を供給しないようにすることができるので、水を有効利用しながら故障診断を行うことができる。
【００７０】
（実施形態７）
まず、本発明の実施形態７に係る水槽システムの構成について図９を用いて説明する。この水槽システムは２つの水槽装置Ａ，Ａを備えている。それぞれの水槽装置Ａは、水位センサ２と、メイン流水路３０、第１のサブ流水路３１及び第２のサブ流水路３２と、定水位弁４と、試験弁５，７とを実施形態６の水槽装置（図８参照）と同様に備えているが、実施形態６の水槽装置にはない以下に記載の特徴部分を有する。
【００７１】
実施形態７の水槽装置Ａ，Ａは、実施形態６の診断処理部９ｂ（図８参照）に代えて、図９に示すような診断処理部９ｃを備えている。診断処理部９ｃは、２つの水槽装置Ａ，Ａのそれぞれの診断処理部９ｂを１つに統合したものである。この診断処理部９ｃの弁制御部９１は、２つの水槽装置Ａ，Ａの１つに対する故障が検出されると、故障が検出された水槽装置Ａから他の水槽装置Ａに切り替え、他の水槽装置Ａを稼動させるように、それぞれの試験弁５，７の開閉を制御する。なお、診断処理部９ｃは上記以外の点で診断処理部９ｂと同様である。
【００７２】
次に、実施形態７に係る水槽システムにおいて１つの水槽装置Ａが異常状態を示したときの故障診断方法について説明する。
【００７３】
最初に満水診断について図１０を用いて説明する。まず、実施形態６（実施形態５）と同様に、水位センサ２が貯水槽１の水位を計測し、診断処理部９ｃの水位情報取得部９０が水位センサ２から水位情報として満水警報を受信すると（Ｓ３１）、流量取得部９２が、満水警報を取得した直前の一定時間において流量計８が常にオフになっているか否かを確認する（Ｓ３２）。流量計８が常にオフになっていなければ、実施形態６（実施形態５）と同様の動作（図４のＳ１４〜Ｓ１９）を行う。これに対して、流量計８が常にオフであった場合、他方の水槽装置Ａの水位センサ２で貯水槽１の満水を確認する（Ｓ３３）。２つの貯水槽１は配水管１２でつながっており、水の流出入が可能であるため、水位が同じである。満水であれば、少なくとも主弁４１及び流量計８の故障と判断する（Ｓ３４）。一方、満水でなければ、少なくとも水位センサ２の故障と判断する（Ｓ３５）。
【００７４】
続いて、減水診断について図１１を用いて説明する。まず、実施形態６（実施形態５）と同様に、水位センサ２が貯水槽１の水位を計測し、診断処理部９ｃの水位情報取得部９０が水位センサ２から水位情報として減水警報を受信すると（Ｓ４１）、流量取得部９２が、減水警報を取得した直前の一定時間において流量計８が常にオンになっているか否かを確認する（Ｓ４２）。流量計８が常にオンになっていなければ、実施形態６（実施形態５）と同様の動作（図５のＳ２４〜Ｓ２９）を行う。これに対して、流量計８が常にオンであった場合、他方の水槽装置Ａの水位センサ２で減水を確認する（Ｓ４３）。減水であれば、主弁４１及び流量計８の故障と判断する（Ｓ４４）。一方、減水でなければ、少なくとも水位センサ２の故障と判断する（Ｓ４５）。
【００７５】
次に、実施形態７に係る水槽システムにおいて一方の水槽装置Ａが故障した場合の動作について図９を用いて説明する。診断処理部９ｃの弁制御部９１は、使用する側の水槽装置Ａの試験弁５を閉め、試験弁７を開けるように制御する。一方、使用しない側の水槽装置Ａの試験弁５，７を閉めるように制御する。上記のようにして、一方の水槽装置Ａが故障した場合、水槽装置Ａを切り替えて、故障していない水槽装置Ａのみを使用し、運用する。
【００７６】
なお、実施形態７の水槽システムにおけるそれぞれの水槽装置Ａの通常時の動作は実施形態６（実施形態１）と同様である。
【００７７】
以上、実施形態７によれば、故障診断を短時間で行うことができる。また、故障が検出された水槽装置Ａから正常な水槽装置Ａに切り替えることによって、信頼性を向上させることができる。
【００７８】
なお、実施形態７の変形例として、実施形態６の水槽装置Ａに代えて、又はこの水槽装置Ａとともに、実施形態４又は５の水槽装置を備えてもよい。このような構成であっても、実施形態７と同様に、故障診断を短時間で診断することができるとともに、故障が検出された水槽装置Ａから正常な水槽装置Ａに切り替えることによって、信頼性を向上させることができる。
【００７９】
（実施形態８）
まず、本発明の実施形態８に係る水槽装置の構成について図１２を用いて説明する。この水槽装置は、実施形態６の水槽装置（図８参照）と同様に、水位センサ２と、メイン流水路３０、第１のサブ流水路３１及び第２のサブ流水路３２と、定水位弁４と、試験弁５，７と、診断処理部９ｂとを備えている。実施形態８では、水位センサ２と、メイン流水路３０、第１のサブ流水路３１及び第２のサブ流水路３２と、定水位弁４と、試験弁５，７とがマンションなどの建築物Ｂに設置され、診断処理部９ｂを管理サーバＣとしてインターネットＤを経由して上記建築物Ｂとは別の場所に設置されている。管理サーバＣは、１つの水槽装置の診断処理部９ｂだけでなく、複数の建築物Ｂ，Ｂに設置されているそれぞれの水槽装置に対応する診断処理部９ｂを兼用している。
【００８０】
以上、実施形態８によれば、現場に赴くことなく、遠隔地からでも故障診断を行うことができる。
【００８１】
なお、実施形態８の変形例として、実施形態４若しくは５の水槽装置又は実施形態７の水槽システムを、実施形態８のように診断処理部９，９ａ，９ｃを管理サーバＣとして遠隔地に設置してもよい。このような構成にしても、実施形態８と同様に、現場に赴くことなく、遠隔地からでも故障診断を行うことができる。
【図面の簡単な説明】
【００８２】
【図１】本発明の実施形態１に係る水槽装置の構成図である。
【図２】本発明の実施形態２に係る水槽装置の構成図である。
【図３】本発明の実施形態３に係る水槽装置の構成図である。
【図４】本発明の実施形態３，５，６に係る水槽装置の満水診断のフローチャートである。
【図５】本発明の実施形態３，５，６に係る水槽装置の減水診断のフローチャートである。
【図６】本発明の実施形態４に係る水槽装置の構成図である。
【図７】本発明の実施形態５に係る水槽装置の構成図である。
【図８】本発明の実施形態６に係る水槽装置の構成図である。
【図９】本発明の実施形態７に係る水槽システムの構成図である。
【図１０】同上に係る水槽装置の満水診断の要部を示すフローチャートである。
【図１１】同上に係る水槽装置の減水診断の要部を示すフローチャートである。
【図１２】本発明の実施形態８に係る水槽装置の構成図である。
【符号の説明】
【００８３】
１  貯水槽
２  水位センサ
３０  メイン流水路
３１  第１のサブ流水路
３２  第２のサブ流水路
３３  分岐点
４  定水位弁
４０  ボールタップ
４１  主弁
５，７  試験弁
８  流量計
９，９ａ〜９ｃ  診断処理部
９０  水位情報取得部
９１  弁制御部
９２  流量取得部
９３  入力部
【図１】
2008157375.tif 000003
【図２】
2008157375.tif 000004
【図３】
2008157375.tif 000005
【図４】
2008157375.tif 000006
【図５】
2008157375.tif 000007
【図６】
2008157375.tif 000008
【図７】
2008157375.tif 000009
【図８】
2008157375.tif 000010
【図９】
2008157375.tif 000011
【図１０】
2008157375.tif 000012
【図１１】
2008157375.tif 000013
【図１２】
2008157375.tif 000014